(57)【要約】  無線媒体を通じて圧縮解除されたフォーマットで送信される高画質ビデオデータを処理するためのシステムが開示される。一実施形態で、該システムは、i）ビデオデータストリームをエンコーディングするように構成されるリードソロモン（ＲＳ）エンコーダと、ii）ＲＳエンコーディングされたデータストリームを複数のサブ−ビデオデータストリームにパージングするように構成されるパーザーと、iii）複数のサブ−ビデオデータストリームを平行にエンコーディングして、複数のエンコーディングされたデータストリームを生成するように構成される複数のコンボリューションエンコーダと、iv）複数のエンコーディングされたデータストリームを入力し、多重化されたデータストリームを出力するように構成されるマルチプレクサーと、を備え、多重化されたデータストリームは送信される。これにより、非常に多い処理量のデータ通信のための強力なエラー保護を提供し、受信器側で平行ビタビデコーディングの具現をさらに容易にする。
2009543424.tif 000002
【特許請求の範囲】
【請求項１】
無線媒体を通じて送信される高画質ビデオデータを処理するためのシステムにおいて、前記システムは、
ビデオデータストリームをエンコーディングするように構成されるリードソロモン（ＲＳ）エンコーダと、
前記ＲＳエンコーディングされたデータストリームを複数のサブ−ビデオデータストリームにパージングするように構成されるパーザーと、
前記複数のサブ−ビデオデータストリームを平行にエンコーディングして、複数のエンコーディングされたデータストリームを生成するように構成される複数のコンボリューションエンコーダと、
前記複数のエンコーディングされたデータストリームを入力し、多重化されたデータストリームを出力するように構成されるマルチプレクサーと、を備えることを特徴とするシステム。
【請求項２】
前記複数のコンボリューションエンコーダに対応する複数の平行コンボリューションデコーダを備える無線高画質ビデオ受信器に前記エンコーディングされたデータストリームを送信するように構成されるＲＦユニットをさらに備えることを特徴とする請求項１に記載のシステム。
【請求項３】
前記受信器は、ＨＤＴＶセットまたはプロジェクターであることを特徴とする請求項２に記載のシステム。
【請求項４】
前記システムは、セットトップボックス、ＤＶＤプレーヤーまたはレコーダ、デジタルカメラ、カムコーダ及びその他のコンピュータデバイスのうち一つで具現されることを特徴とする請求項１に記載のシステム。
【請求項５】
前記多重化されたデータストリームは圧縮解除されたことを特徴とする請求項１に記載のシステム。
【請求項６】
前記ＲＳエンコーダは、ＲＳコード（ｎ；２２４、ｋ；２２０、ｔ；２）、（ｎ；２２４、ｋ；２１８、ｔ；３）及び（ｎ；２２４、ｋ；２１６、ｔ；４）のうち一つに基づいてＲＳエンコーディングを実行するように構成され、ｎはコーディングされたデータ長（バイト）、ｋは情報データ長（バイト）及びｔはエラー訂正能（バイト）であることを特徴とする請求項１に記載のシステム。
【請求項７】
前記ＲＳエンコーダの出力に対してインターリービングを実行し、前記インターリービングされたデータを前記パーザーに提供するように構成される外部インターリーバをさらに備えることを特徴とする請求項１に記載のシステム。
【請求項８】
前記外部インターリーバは、ブロックインターリーバ、コンボリューションインターリーバまたは前記入力データストリームなどの順序をシャッフルする任意のインターリーバであることを特徴とする請求項７に記載のシステム。
【請求項９】
前記外部インターリーバは、循環的に入力バイト・ストリームに連結されるＩブランチを備え、それぞれのブランチは、遅延ｊＤを持つＦＩＦＯシフトレジスターであり、Ｄは、遅延ユニット当たりの遅延であり、ｊは、ブランチインデックスであることを特徴とする請求項７に記載のシステム。
【請求項１０】
前記複数のコンボリューションエンコーダの数は、８、１０、１２、１４及び１６のうち一つであるか、または前記数の因数であることを特徴とする請求項１に記載のシステム。
【請求項１１】
前記複数のコンボリューションエンコーダの数は８であり、４個の第１コンボリューションエンコーダは、前記サブ−ビデオデータストリームの４個の最も重要なビットをエンコーディングするように構成され、残りの４個のコンボリューションエンコーダは、前記サブ−ビデオデータストリームの４個のより重要でないビット（ｌｅａｓｔ  ｓｉｇｎｉｆｉｃａｎｔ  ｂｉｔｓ）をエンコーディングするように構成され、前記４個の第１コンボリューションエンコーダ及び前記残りの４個のコンボリューションエンコーダは、異なるコンボリューションコードを使用することを特徴とする請求項１０に記載のシステム。
【請求項１２】
前記複数のコンボリューションエンコーダの数は２Ｎであり、Ｎ個の第１コンボリューションエンコーダは、前記サブ−ビデオデータストリームのＭ個の最も重要なビット（ｍｏｓｔ  ｓｉｇｎｉｆｉｃａｎｔ  ｂｉｔｓ）をエンコーディングするように構成され、残りのＮ個のコンボリューションエンコーダは、前記サブ−ビデオデータストリームのＬ個のより重要でないビットをエンコーディングするように構成され、Ｍ＋Ｌ＝カラー当たりビットの数であり、前記Ｎ個の第１コンボリューションエンコーダ及び前記残りのＮ個のコンボリューションエンコーダは、異なるコンボリューションコードを使用することを特徴とする請求項１０に記載のシステム。
【請求項１３】
前記ビデオデータは、イメージデータ及び非イメージデータを含むことを特徴とする請求項１に記載のシステム。
【請求項１４】
無線媒体を通じて送信される高画質ビデオデータを処理する方法において、前記方法は、
ビデオデータストリームをリードソロモン（ＲＳ）エンコーディングするステップと、
前記ＲＳエンコーディングされたデータストリームを複数のサブ−ビデオデータストリームにパージングするステップと、
前記複数のサブ−ビデオデータストリームを平行にコンボリューションエンコーディングして、複数のエンコーディングされたデータストリームを生成するステップと、
前記複数のエンコーディングされたデータストリームを多重化し、多重化されたデータストリームを出力するステップと、を含むことを特徴とする方法。
【請求項１５】
前記コンボリューションエンコーディングするステップは、入るデータビットに対して相対的な重要性によって差等エラー保護を提供することを特徴とする請求項１４に記載の方法。
【請求項１６】
前記コンボリューションエンコーディングするステップは、より重要でないビットと異なるエンコーディング割合で最も重要なビットをエンコーディングするステップを含むことを特徴とする請求項１５に記載の方法。
【請求項１７】
前記コンボリューションエンコーディングするステップは、前記サブ−ビデオデータストリームに対して均等エラー保護を提供することを特徴とする請求項１４に記載の方法。
【請求項１８】
前記パージングするステップ以前に、前記ＲＳエンコーディングされたデータを外部インターリービングするステップをさらに含むことを特徴とする請求項１４に記載の方法。
【請求項１９】
前記多重化されたデータストリームは圧縮解除されたことを特徴とする請求項１４に記載の方法。
【請求項２０】
前記多重化されたデータストリームは前記無線媒体を通じて送信され、受信器で受信されてデコーディングされることを特徴とする請求項１４に記載の方法。
【請求項２１】
無線媒体を通じて圧縮解除されたフォーマットで送信される高画質ビデオデータを処理するためのシステムにおいて、前記システムは、
ビデオデータストリームの最も重要なビット（ＭＳＢ）を入力し、前記ＭＳＢをＲＳエンコーディングし、及び第１ＲＳエンコーディングされたデータストリームを出力するように構成される第１リードソロモン（ＲＳ）エンコーダと、
前記ビデオデータストリームのより重要でないビット（ＬＳＢ）を入力し、前記ＬＳＢをＲＳエンコーディングし、及び第２ＲＳエンコーディングされたデータストリームを出力するように構成される第２リードソロモン（ＲＳ）エンコーダと、
前記第１ＲＳエンコーディングされたデータストリームを第１複数のサブ−ビデオデータストリームにパージングするように構成される第１パーザーと、
前記第２ＲＳエンコーディングされたデータストリームを第２複数のサブ−ビデオデータストリームにパージングするように構成される第２パーザーと、
前記第１複数のサブ−ビデオデータストリームを平行にエンコーディングして、第１複数のコンボリューションエンコーディングされたデータストリームを出力するように構成される第１複数のコンボリューションエンコーダと、
前記第２複数のサブ−ビデオデータストリームを平行にエンコーディングして、第２複数のコンボリューションエンコーディングされたデータストリームを出力するように構成される第２複数のコンボリューションエンコーダと、
前記第１及び第２複数のコンボリューションエンコーディングされたデータストリームを入力し、単一の多重化されたデータストリームを出力するように構成されるマルチプレクサーと、を備えることを特徴とするシステム。
【請求項２２】
前記第１ＲＳエンコーダの出力に対してインターリービングを実行し、前記インターリービングされたデータを前記第１パーザーに提供するように構成される第１外部インターリーバと、
前記第２ＲＳエンコーダの出力に対してインターリービングを実行し、前記インターリービングされたデータを前記第２パーザーに提供するように構成される第２外部インターリーバと、をさらに備えることを特徴とする請求項２１に記載のシステム。
【請求項２３】
前記第１及び第２外部インターリーバそれぞれは、循環的に入力バイト・ストリームに連結されるＩブランチを備え、それぞれのブランチは、遅延ｊＤを持つＦＩＦＯシフトレジスターであり、Ｄは、遅延ユニット当たりの遅延であり、ｊは、ブランチインデックスであることを特徴とする請求項２２に記載のシステム。
【請求項２４】
前記ビデオデータストリームは、レッド、ブルー及びグリーンのカラーと関連した一連のピクセルであることを特徴とする請求項２１に記載のシステム。
【請求項２５】
それぞれのピクセルは２４ビットを含み、カラー当たり８ビットを含み、前記ＭＳＢは、それぞれのカラービットの集合の４個の第１ビットであり、前記ＬＳＢはそれぞれのカラービットの集合の最後の４個のビットであることを特徴とする請求項２４に記載のシステム。
【請求項２６】
前記第１複数のコンボリューションエンコーダは、前記４個のＭＳＢをそれぞれエンコーディングする４個のエンコーダを備え、前記第２複数のコンボリューションエンコーダは、前記４個のＬＳＢをそれぞれエンコーディングする４個のエンコーダを備えることを特徴とする請求項２５に記載のシステム。
【請求項２７】
それぞれのピクセルは３０ビットを含み、カラー当たり１０ビットを含み、前記ＭＳＢは、それぞれのカラービットの集合の５個の第１ビットであり、前記ＬＳＢは、それぞれのカラービットの集合の最後の５個のビットであることを特徴とする請求項２４に記載のシステム。
【請求項２８】
それぞれのピクセルは、３６ビットを含み、カラー当たり１２ビットを含み、前記ＭＳＢは、それぞれのカラービットの集合の６個の第１ビットであり、前記ＬＳＢは、それぞれのカラービットの集合の最後の６個のビットであることを特徴とする請求項２４に記載のシステム。
【請求項２９】
それぞれのピクセルは、３Ｎビットを含み、カラー当たりＮビットを含み、前記ＭＳＢは、それぞれのカラービットの集合のＮ／２個の第１ビットであり、前記ＬＳＢは、それぞれのカラービットの集合の最後のＮ／２個のビットであることを特徴とする請求項２４に記載のシステム。
【請求項３０】
それぞれのピクセルは、３Ｎビットを含み、カラー当たりＮビットを含み、前記ＭＳＢは、それぞれのカラービットの集合のＭ個の第１ビットであり、前記ＬＳＢは、それぞれのカラービットの集合の最後のＬ個のビットであり、Ｍ＋Ｌ＝Ｎであることを特徴とする請求項２４に記載のシステム。
【請求項３１】
プロセッサーで読み取り可能な保存デバイス上に具現されるプロセッサーで読み取り可能なコードを含む一つ以上のプロセッサーで読み取り可能な保存デバイスにおいて、
前記プロセッサーで読み取り可能なコードは、無線媒体を通じて圧縮解除されたフォーマットで送信される高画質ビデオデータを処理する方法を実行するための一つ以上のプロセッサーをプログラミングするためのものであり、前記方法は、
ビデオデータストリームをリードソロモン（ＲＳ）エンコーディングするステップと、
前記ＲＳエンコーディングされたデータストリームを複数のサブ−ビデオデータストリームにパージングするステップと、
前記複数のサブ−ビデオデータストリームを平行にコンボリューションエンコーディングして複数のエンコーディングされたデータストリームを生成するステップと、
前記複数のエンコーディングされたデータストリームを多重化し、多重化されたデータストリームを出力するステップと、を含むことを特徴とする保存デバイス。
【請求項３２】
無線媒体を通じて送信される高画質ビデオデータを処理するためのシステムにおいて、前記システムは、
ビデオデータストリームをリードソロモン（ＲＳ）エンコーディングして外部インターリーバにつなげるための手段と、
前記ＲＳエンコーディングされたデータストリームを複数のサブ−ビデオデータストリームにパージングするための手段と、
前記複数のサブ−ビデオデータストリームを平行にコンボリューションエンコーディングして、複数のエンコーディングされたデータストリームを生成するための手段と、
前記複数のエンコーディングされたデータストリームを多重化し、多重化されたデータストリームを出力するための手段と、を備えることを特徴とするシステム。
【請求項３３】
無線媒体を通じて送信される高画質ビデオデータを処理するためのシステムにおいて、前記システムは、
ビデオデータストリームをエンコーディングして外部インターリーバにつながるように構成される外部エンコーダと、
前記エンコーディングされたデータストリームを複数のサブ−ビデオデータストリームにパージングするように構成されるパーザーと、
前記複数のサブ−ビデオデータストリームを平行にエンコーディングして、複数のエンコーディングされたデータストリームを生成するように構成される複数の内部エンコーダと、
前記複数のエンコーディングされたデータストリームを入力し、多重化されたデータストリームを出力するように構成されるマルチプレクサーと、を備えることを特徴とするシステム。
【請求項３４】
前記外部エンコーダは、ＲＳエンコーダまたはＢＣＨエンコーダであることを特徴とする請求項３３に記載のシステム。
【請求項３５】
前記内部エンコーダそれぞれは、コンボリューションエンコーダまたは線形ブロックエンコーダであることを特徴とする請求項３３に記載のシステム。
【発明の詳細な説明】
【技術分野】
【０００１】
本発明はビデオ情報の無線送信に係り、特に無線チャンネルを通じた圧縮解除された高解像度ビデオ情報の送信に関する。
【背景技術】
【０００２】
高品質ビデオの拡散と共に、増える数の電子デバイス（例えば、家電デバイス）は、数ギガｂｐｓほどの全体データ処理量の要求を持つ高画質（ＨＤ：Ｈｉｇｈ  Ｄｅｆｉｎｉｔｉｏｎ）ビデオを使用する。ほとんどの無線通信で、ＨＤビデオは無線媒体に送信する前にまず圧縮される。ＨＤビデオの圧縮は、全体に求められる通信帯域幅及び電力が本来の圧縮解除されたビデオの送信に比べてかなり減少できるため、魅力的である。しかし、ビデオの圧縮及びそれによる圧縮解除それぞれと共にいくつかのビデオ情報が損失し、ピクチャー品質は低下する。また、ビデオ信号の圧縮及び圧縮解除は相当なハードウェアコストを招く。
【０００３】
高画質マルチメディアインターフェース（ＨＤＭＩ：Ｈｉｇｈ−Ｄｅｆｉｎｉｔｉｏｎ  Ｍｕｌｔｉｍｅｄｉａ  Ｉｎｔｅｒｆａｃｅ）スペックは、ＨＤＭＩケーブル（ワイヤーからなるリンク）を通じたデバイス間の圧縮解除されたＨＤ送信のためのインターフェースを定義する。３個の別途のチャンネルはｍ３個のピクセルコンポーネントストリーム（例えば、Ｒ、Ｂ、Ｇ）を送信するところに使われる。それぞれのチャンネルに対して、ピクセルはそれぞれのビデオラインに対してピクセル・バイ・ピクセルの順序、及びそれぞれのビデオフレームまたはフィールドに対してライン・バイ・ラインの順序で送信される。ＨＤＭＩは、それぞれのピクセルを１回または数回反復するピクセル−反復機能性を提供する。それぞれのピクセルのコピーは、それぞれのピクセルコンポーネントチャンネルでの送信中に原ピクセルに直接従う。
【０００４】
また、あるシナリオでは、領域に対して圧縮解除されたＨＤビデオを送信することが望ましい。
【発明の開示】
【発明が解決しようとする課題】
【０００５】
しかし、従来の無線ローカル領域ネットワーク（ＷＬＡＮｓ）及び類似技術は、圧縮解除されたＨＤビデオを支援するために必要な帯域幅を持っていない。また、従来の無線ネットワークは、同じネットワークまたは他のネットワークに隣接したユーザーから由来する望ましくない干渉を受けることもある。
【課題を解決するための手段】
【０００６】
本発明の一態様は、無線媒体を通じて送信される高画質ビデオデータを処理するためのシステムにおいて、i）ビデオデータストリームをエンコーディングするように構成されるリードソロモン（ＲＳ）エンコーダと、前記コーディングされたビットを再びシャッフルする外部インターリーバと、ii）前記ＲＳエンコーディングされたデータストリームを複数のサブ−ビデオデータストリームにパージングするように構成されるパーザーと、iii）前記複数のサブ−ビデオデータストリームを平行にエンコーディングして、複数のエンコーディングされたデータストリームを生成するように構成される複数のコンボリューションエンコーダと、iv）前記複数のエンコーディングされたデータストリームを入力し、多重化されたデータストリームを出力するように構成されるマルチプレクサーと、を備え、前記多重化されたデータストリームは、前記無線媒体を通じて送信され、受信器で受信されてデコーディングされることを特徴とする。
【０００７】
本発明の他の態様は、無線媒体を通じて送信される高画質ビデオデータを処理する方法において、i）ビデオデータストリームをリードソロモン（ＲＳ）エンコーディングするステップと、ii）前記ＲＳエンコーディングされたデータストリームを複数のサブ−ビデオデータストリームにパージングするステップと、iii）前記複数のサブ−ビデオデータストリームを平行にコンボリューションエンコーディングして、複数のエンコーディングされたデータストリームを生成するステップと、iv）前記複数のエンコーディングされたデータストリームを多重化し、多重化されたデータストリームを出力するステップと、を含み、前記多重化されたデータストリームは、前記無線媒体を通じて送信され、受信器で受信されてデコーディングされることを特徴とする。
【０００８】
本発明のさらに他の態様は、無線媒体を通じて圧縮解除されたフォーマットで送信される高画質ビデオデータを処理するためのシステムにおいて、i）ビデオデータストリームの最も（または、さらに）重要なビット（ＭＳＢ）を入力し、前記ＭＳＢをＲＳエンコーディングし、及び第１ＲＳエンコーディングされたデータストリームを出力するように構成され、前記第１ＲＳエンコーディングされたデータストリームをインターリービングする第１外部インターリーバによりつながる第１リードソロモン（ＲＳ）エンコーダと、ii）前記ビデオデータストリームのより重要でないビット（ＬＳＢ）を入力し、前記ＬＳＢをＲＳエンコーディングし、及び第２ＲＳエンコーディングされたデータストリームを出力するように構成され、前記第２ＲＳエンコーディングされたデータストリームをインターリービングする第２外部インターリーバによりつながる第２リードソロモン（ＲＳ）エンコーダと、iii）前記第１ＲＳエンコーディングされたデータストリームを第１複数のサブ−ビデオデータストリームにパージングするように構成される第１パーザーと、iv）前記第２ＲＳエンコーディングされたデータストリームを第２複数のサブ−ビデオデータストリームにパージングするように構成される第２パーザーと、v）前記第１複数のサブ−ビデオデータストリームを平行にエンコーディングして、第１複数のコンボリューションエンコーディングされたデータストリームを出力するように構成される第１複数のコンボリューションエンコーダと、vi）前記第２複数のサブ−ビデオデータストリームを平行にエンコーディングして、第２複数のコンボリューションエンコーディングされたデータストリームを出力するように構成される第２複数のコンボリューションエンコーダと、vii）前記第１及び第２複数のコンボリューションエンコーディングされたデータストリームを入力し、単一の多重化されたデータストリームを出力するように構成されるマルチプレクサーと、を備え、前記全体多重化されたデータストリームは、前記無線媒体を通じて送信され、受信器で受信されてデコーディングされることを特徴とする。
【０００９】
本発明のさらに他の態様は、プロセッサーで読み取り可能な保存デバイス上に具現されるプロセッサーで読み取り可能なコードを含む一つ以上のプロセッサーで読み取り可能な保存デバイスにおいて、前記プロセッサーで読み取り可能なコードは、無線媒体を通じて圧縮解除されたフォーマットで送信される高画質ビデオデータを処理する方法を実行するための一つ以上のプロセッサーをプログラミングするためのものであり、前記方法は、i）ビデオデータストリームをリードソロモン（ＲＳ）エンコーディングするステップと、ii）前記ＲＳエンコーディングされたデータストリームを複数のサブ−ビデオデータストリームにパージングするステップと、iii）前記複数のサブ−ビデオデータストリームを平行にコンボリューションエンコーディングして複数のエンコーディングされたデータストリームを生成するステップと、iv）前記複数のエンコーディングされたデータストリームを多重化し、多重化されたデータストリームを出力するステップと、を含み、前記多重化されたデータストリームは、前記無線媒体を通じて送信され、受信器で受信されてデコーディングされることを特徴とする。
【００１０】
本発明のさらに他の態様は、無線媒体を通じて送信される高画質ビデオデータを処理するためのシステムにおいて、i）ビデオデータストリームをエンコーディングして外部インターリーバにつながるように構成される外部エンコーダと、ii）前記エンコーディングされたデータストリームを複数のサブ−ビデオデータストリームにパージングするように構成されるパーザーと、iii）前記複数のサブ−ビデオデータストリームを平行にエンコーディングして、複数のエンコーディングされたデータストリームを生成するように構成される複数の内部エンコーダと、iv）前記複数のエンコーディングされたデータストリームを入力し、多重化されたデータストリームを出力するように構成されるマルチプレクサーと、を備えることを特徴とする。
【発明を実施するための最良の形態】
【００１１】
無線チャンネルを通じた送信器から受信器への圧縮解除された（ｕｎｃｏｍｐｒｅｓｓｅｄ）ＨＤビデオ情報の送信のための方法及びシステムを提供する実施形態がある。
【００１２】
無線高画質（ＨＤ）オーディオ／ビデオ（Ａ／Ｖ）システムにおける実施形態の例示具現を説明する。
【００１３】
図１は、一実施形態によるＡ／ＶデバイスコーディネータやＡ／ＶステーションのようなＡ／Ｖデバイス間の圧縮解除されたＨＤビデオ送信を具現する無線ネットワーク１００の機能ブロック図を示す。他の実施形態で、デバイスのうち一つ以上はパソコン（ＰＣ）のようなコンピュータでありうる。ネットワーク１００は、デバイスコーディネータ１１２及び複数のＡ／Ｖステーション１１４（例えば、デバイス１…デバイスＮ）を備える。Ａ／Ｖステーション１１４は、デバイス間の通信のために低比率（ＬＲ）無線チャンネル１１６（図１の点線）を使用し、高比率（ＨＲ）チャンネル１１８（図１の実線）を使用することもある。デバイスコーディネータ１１２は、ステーション１１４との通信のために低比率のチャンネル１１６及び高比率無線チャンネル１１８を使用する。
【００１４】
それぞれのステーション１１４は、他のステーション１１４との通信のために低比率のチャンネル１１６を使用する。高比率のチャンネル１１８は、圧縮解除されたＨＤビデオ送信を支援するために、例えば、数ＧＢ／ｓ帯域幅を持つビーム形成により確立される方向性ビームを通じて単方向ユニキャスト送信を支援する。例えば、セットトップボックスは、高比率のチャンネル１１８を通じてＨＤＴＶに圧縮解除されたビデオを送信できる。ある実施形態で、低比率のチャンネル１１６は、例えば、４０Ｍｂｐｓまでの処理量を持つ双方向送信を支援できる。低比率のチャンネル１１６は、主に確認応答（ＡＣＫ：ａｃｋｎｏｗｌｅｄｇｅｍｅｎｔ）フレームのような制御フレームを送信するのに使われる。例えば、低比率のチャンネル１１６は、ＨＤＴＶからセットトップボックスに確認応答を送信できる。また、オーディオ及び圧縮されたビデオのようないくつかの低比率データは、２つのデバイス間に低比率のチャンネルに直接送信される。時分割デュプレクシング（ＴＤＤ：Ｔｉｍｅ  Ｄｉｖｉｓｉｏｎ  Ｄｕｐｌｅｘｉｎｇ）は、高比率及び低比率のチャンネルに適用される。ある実施形態で、ある時に低比率及び高比率のチャンネルは、送信のために並列で使えない。ビーム形成技術は、低比率及び高比率のチャンネルいずれにも使われうる。低比率のチャンネルはまた全方向性送信を支援することもできる。
【００１５】
一例示として、デバイスコーディネータ１１２は、ビデオ情報の受信器（以下、“受信器１１２”という）であり、ステーション１１４は、ビデオ情報の送信器（以下、“送信器１１４”という）である。例えば、受信器１１２は、ＷＬＡＮタイプであるホーム無線ネットワーク環境のＨＤＴＶセットでのように具現されたビデオ及び／またはオーディオデータのシンク（ｓｉｎｋ）でありうる。他の実施形態で、受信器１１２は、プロジェクターでもありうる。送信器１１４は、圧縮解除されたビデオまたはオーディオのソース（ｓｏｕｒｃｅ）でありうる。送信器１１４の例示は、セットトップボックス、ＤＶＤプレーヤーまたはレコーダ、デジタルカメラ、カムコーダ、その他のコンピュータデバイス（例えば、ノート型パソコン、デスクトップ、ＰＤＡなど）などを含む。
【００１６】
図２は、例示的な通信システム２００の機能ブロック図を示す。システム２００は、無線送信器２０２及び無線受信器２０４を備える。送信器２０２は、物理（ＰＨＹ）レイヤー２０６、メディアアクセス制御（ＭＡＣ）レイヤー２０８及びアプリケーションレイヤー２１０を備える。同様に、受信器２０４は、ＰＨＹレイヤー２１４、ＭＡＣレイヤー２１６、及びアプリケーションレイヤー２１８を備える。ＰＨＹレイヤーは、無線媒体２０１を通じて一つ以上のアンテナを経て送信器２０２と受信器２０４との間の無線通信を提供する。
【００１７】
送信器２０２のアプリケーションレイヤー２１０は、Ａ／Ｖ事前処理（ｐｒｅ−ｐｒｏｃｅｓｓｉｎｇ）モジュール２１１及びオーディオビデオ制御（ＡＶ／Ｃ）モジュール２１２を備える。Ａ／Ｖ事前処理モジュール２１１は、圧縮解除されたビデオの分割のようなオーディオ／ビデオの事前処理を実行できる。ＡＶ／Ｃモジュール２１２は、Ａ／Ｖ性能情報を交換するための標準方式を提供する。連結が始まる前に、ＡＶ／Ｃモジュールは使われるＡ／Ｖフォーマットを交渉し、連結が不要になる時にＡＶ／Ｃコマンドがその連結を停止させるために使われる。
【００１８】
送信器２０２で、ＰＨＹレイヤー２０６は、ＭＡＣレイヤー２０８と通信し、かつラジオ周波数（ＲＦ）モジュール２０７と通信するために使われる低比率（ＬＲ）チャンネル２０３及び高比率（ＨＲ）チャンネル２０５を備える。ある実施形態でＭＡＣレイヤー２０８は、パケット化モジュール（図示せず）を備える。送信器２０２のＰＨＹ／ＭＡＣレイヤーは、パケットにＰＨＹ及びＭＡＣヘッダを付加し、そのパケットを無線チャンネル２０１を通じて受信器２０４に送信する。
【００１９】
無線受信器２０４で、ＰＨＹ／ＭＡＣレイヤー２１４、２１６は受信されたパケットを処理する。ＰＨＹレイヤー２１４は、一つ以上のアンテナに連結されるＲＦモジュール２１３を備える。ＬＲチャンネル２１５及びＨＲチャンネル２１７は、ＭＡＣレイヤー２１６と通信し、ＲＦモジュール２１３と通信するために使われる。受信器２０４のアプリケーションレイヤー２１８は、Ａ／Ｖ事後処理（ｐｏｓｔ−ｐｒｏｃｅｓｓｉｎｇ）モジュール２１９及びＡＶ／Ｃモジュール２２０を備える。モジュール２１９は、例えば、圧縮解除されたビデオを再生成するためにモジュール２１１の逆処理方法を実行できる。ＡＶ／Ｃモジュール２２０は、送信器２０２のＡＶ／Ｃモジュール２１２と相補的な方式で動作する。
【００２０】
エラー制御コーディングは、現代の通信システムで幅広く使われる。例えば、コンボリューションコードと関連したリードソロモン（ＲＳ）コードは、本明細書に参照文献として含まれる“Ｄｉｇｉｔａｌ  Ｖｉｄｅｏ  Ｂｒｏａｄｃａｓｔｉｎｇ；ｆｒａｍｉｎｇ  ｓｔｒｕｃｔｕｒｅ，ｃｈａｎｎｅｌ  ｃｏｄｉｎｇ  ａｎｄ  ｍｏｄｕｌａｔｉｏｎ  ｆｏｒ  ｄｉｇｉｔａｌ  ｔｅｒｒｅｓｔｒｉａｌ  ｔｅｌｅｖｉｓｉｏｎ，”ＥＴＳＩ  ＥＮ  ３００  ７４４のような多くのシステムで、データをチャンネルエラーから保護する時に採択された。典型的な通信アプリケーションで、データ処理量はあまり多くなく、受信器側で、一つのビタビ（Ｖｉｔｅｒｂｉ）アルゴリズム（コンボリューションコードに対して評判のあるデコーディングアルゴリズム）と関連した一つのＲＳデコーダは、一般的にデコーディング作業を処理できる。しかし、これは、ターゲットになるデータ処理量が約４ギガビット／秒の無線ＨＤ（Ｗｉ（ｗｉｒｅｌｅｓｓ）ＨＤ）技術についての場合ではない。一実施形態で、現在のビタビ処理量が典型的に約５００メガビット／秒である事実を考慮すれば、複数の並列ビタビデコーダが受信器でデコーディング作業を完了するために使われる。このような状況で、単一デコーダがＷｉＨＤビデオ送信器で使われる時、複数のデコーダそれぞれは互いにデータを通信する必要があり、これは、一つのデコーダの情報が残りのデコーダの情報と相互関連するためである。これは、デコーダ設計をさらに複雑にする。また、他のデコーダと通信するのは、ＷｉＨＤ受信器で大きい全体デコーディング遅延を引き起こす。
【００２１】
図３は、本発明の一実施形態による例示的な無線ＨＤビデオ送信器システム３００を図示する。システム３００は、ＲＳエンコーダ３１０、３３０、外部インターリーバ３１２、３３２、パーザー３１４、３３４、複数の第１コンボリューションエンコーダ３１６ないし３２２及び複数の第２コンボリューションエンコーダ３３６ないし３４２、マルチプレクサー３２４、３４４及びインターリービング／マッピングユニット３２６、３４６を備える。一実施形態で、図３システムの構成要素全部はＰＨＹレイヤー２０６（図２参照）に属する。図３では８個のエンコーダが図示されているとしても、特定のアプリケーションによってさらに多くのエンコーダ（例えば、１６個またはそれ以上）またはさらに少ないエンコーダ（例えば、２または４）がある場合もある。また、他の実施形態で、単一のＲＳエンコーダ、単一の外部インターリーバ、単一のパーザー及び単一のマルチプレクサーを持つこともできる。これらの実施形態で、パーザー３１４／３３４それぞれが一つの入力及び４個の出力を持つ代りに、単一のパーザーは、一つの入力及び８個の出力を持つ。他の実施形態で、ＲＳエンコーダ３１０、３３０の代りにエンコーディングのために、例えば、ＢＣＨコードのような他のエンコーダ（または、外部エンコーダ）が使われることもある。
【００２２】
一実施形態として、構成要素３１０ないし３２６は最も重要なビット（ＭＳＢ：ｍｏｓｔ  ｓｉｇｎｉｆｉｃａｎｔ  ｂｉｔｓ）を処理するために使われ、構成要素３３０ないし３４６は、より重要でないビット（ＬＳＢ：ｌｅａｓｔ  ｓｉｇｎｉｆｉｃａｎｔ  ｂｉｔｓ）を処理するために使われる。カラー再生のために、通信チャンネルでＬＳＢの損失がＭＳＢの損失よりはより重要でないということは周知のものである。したがって、ある実施形態は、例えば、ＭＳＢ及びＬＳＢそれぞれに対する異なるエラーコーディングを通じてさらに高いレベルの保護を提供できる。これらの技術は、差等エラー保護（ＵＥＰ：ｕｎｅｑｕａｌ  ｅｒｒｏｒ  ｐｒｏｔｅｃｔｉｏｎ）と知られている。一実施形態として、図３のシステムの構成要素全部は、ソフトウェアまたはハードウェアまたはその結合によって実施されうる。
【００２３】
ＲＳエンコーダ３１０、３３０及び外部インターリーバ３１２、３３２は、入るビットストリーム（それぞれＭＳＢ及びＬＳＢ）に対してＲＳエンコーディング及びインターリービングを実行する。パーザー３１４、３３４は、インターリービングされたビットストリームをそれぞれ第１グループのコンボリューションエンコーダ３１６ないし３２２（ＭＳＢに対する）及び第２グループのコンボリューションエンコーダ３３６ないし３４２（ＬＳＢに対する）にパージングする。一実施形態で、パーザー３１４、３３４は、データをビット・バイ・ビットまたはグループ・バイ・グループ（固定されていないグループでのビットの数であるグループサイズを持つ）にパージングするスイッチまたはデマルチプレクサーである。一実施形態で、外部インターリーバ３１２、３３２それぞれはブロックインターリーバ、コンボリューションインターリーバまたは入力データストリームの順序をシャッフルする任意のインターリーバである。他の実施形態で、他の形態のインターリーバも可能である。一実施形態で、ＲＳエンコーダ３１０、３３０、外部インターリーバ３１２、３３２及びエンコーダ３１６ないし３３２、３３６ないし３４２は共に、図２と関連して記述される順方向エラー訂正（ＦＥＣ：Ｆｏｒｗａｒｄ  Ｅｒｒｏｒ  Ｃｏｒｒｅｃｔｉｏｎ）を実行する。
【００２４】
一実施形態で、コンボリューション（または内部（ｉｎｎｅｒ））エンコーダ３１６ないし３２２、３３６ないし３４２は、入るデータビットの相対的な重要性によって差等エラー保護（ＵＥＰ）を提供するように構成される。前述したように、第１エンコーダ３１６ないし３３６は、ＭＳＢデータをエンコーディングし、第２エンコーダ３３６ないし３４２は、ＬＳＢデータをエンコーディングする。これらの実施形態で、ＭＳＢエンコーディングは、ＬＳＢエンコーディングよりさらに優れたエラー保護を提供する。他の実施形態で、コンボリューションエンコーダ３１６ないし３４２は、あらゆる入るデータビットに対して均等エラー防止（ＥＥＰ：Ｅｑｕａｌ  Ｅｒｒｏｒ  Ｐｒｏｔｅｃｔｉｏｎ）を提供するように構成される。マルチプレクサー３２４、３４４は、それぞれエンコーダ３１６ないし３２２、３３６ないし３４２のビットストリームを連結する。インターリービング／マッピングユニット３２６、３４６は、それぞれマルチプレクサー３２４、３４４の出力に対するインターリービング／マッピングを実行する。インターリービング／マッピング後、無線チャンネル２０１を通じてデータパケットをＷｉＨＤビデオデータ受信器に送信する前に、例えば、ＩＦＦＴ（Ｉｎｖｅｒｓｅ  Ｆｏｕｒｉｅｒ  Ｆａｓｔ  Ｔｒａｎｓｆｏｒｍ）プロセシングのようなＯＦＤＭ変調及びビーム形成が実行されることもある（図２参照）。一実施形態で、ＷｉＨＤビデオデータ受信器は、複数のコンボリューションエンコーダ３１６ないし３２２、３３６ないし３４２に対応する複数の平行コンボリューションデコーダを備えることもある。
【００２５】
図４は、本発明の他の実施形態による例示的な無線ＨＤビデオ送信器システム４００を図示する。システム４００は、ＲＳエンコーダ４１０、外部インターリーバ４２０、パーザー４３０、複数のコンボリューションエンコーダ４４０ないし４５４、マルチプレクサー４６０及びインターリービング／マッピングユニット４７０を備える。一実施形態で、図４のシステムの構成要素全部はＰＨＹレイヤー２０６に属する（図２参照）。図３には８個のエンコーダが図示されているとしても、特定のアプリケーションによってさらに多くのエンコーダ（例えば、１６またはそれ以上）またはさらに少ないエンコーダ（例えば、２または４）がある場合もある。一実施形態で、ＲＳエンコーダ４１０、外部インターリーバ４２０、パーザー４３０、マルチプレクサー４６０及びインターリービング／マッピングユニット４７０は、図３のものと実質的に同一である。一実施形態で、エンコーダ４４０ないし４５４は、あらゆる入るデータビットに対して均等エラー防止（ＥＥＰ）を提供するように構成される。
【００２６】
以下、図６を参照してシステム３００、４００の動作を説明する。図５については、後述される。図６は、本発明の一実施形態による無線ＨＤビデオ送信手順６００を示す例示的なフローチャートを図示する。一実施形態で、送信手順６００は、ＣまたはＣ＋＋または他の適切なプログラミング言語のような一般的なプログラミング言語で具現される。本発明の一実施形態で、プログラムは、例えば、図１に示したようなデバイスコーディネータ１１２またはデバイス（１−Ｎ）１１４のようなステーションの一部であるか、またはステーションに取り付けられたＷｉＨＤ送信器でコンピュータに接近可能な記録媒体に保存される。他の実施形態で、プログラムは、本発明の実施形態によって送信手順６００を実行できるかぎり、他のシステム位置に保存されうる。記録媒体は情報を保存するための多様な技術いずれも含むことができる。一実施形態で、記録媒体はランダムアクセスメモリ（ＲＡＭ）、ハードディスク、フロッピー（登録商標）ディスク、デジタルビデオデバイス、コンパクトディスク、ビデオディスク、及び／またはその他の光記録媒体などを含む。
【００２７】
他の実施形態で、デバイスコーディネータ１１２及びデバイス（１−Ｎ）１１４のうち少なくとも一つは、送信手順６００を実行するために構成されるか、またはプログラムされたプロセッサー（図示せず）を備える。プログラムは、コーディネータ１１２及び／またはデバイス（１−Ｎ）１１４のプロセッサーまたはメモリに保存されることもある。多様な実施形態で、プロセッサーは、ペンティアム（登録商標）ファミリーのようなインテル社のマイクロプロセッサーファミリー及びウィンドウズ（登録商標）９５、ウィンドウズ（登録商標）９８、ウィンドウズ（登録商標）２０００またはウィンドウズ（登録商標）ＮＴのようなマイクロソフト社のウィンドウズ（登録商標）運営体制に基づいた構成を持つこともある。一実施形態で、プロセッサーは単一チップまたはマルチチップマイクロプロセッサー、デジタルシグナルプロセッサー、組み込みマイクロプロセッサー、マイクロコントローラなどを使用した多様なコンピュータプラットホームで具現される。他の実施形態で、プロセッサーはユニックス、リナックス、マイクロソフトＤＯＳ、マイクロソフトウィンドウズ（登録商標）２０００／９ｘ／ＭＥ／ＸＰ、マッキントッシュＯＳ、ＯＳ／２のような広範囲な運営体制で具現される。他の実施形態で、送信手順６００は、組み込みソフトウェアで具現されうる。実施形態によって、図６で付加的な状態が付加されることもあり、他のものが除去されることもあり、または状態の順序が変化することもある。
【００２８】
状態６１０で、入るデータストリームに対してＲＳエンコーディングが実行される。一実施形態で、それぞれのストリームに対して、図３のシステムに示したように、加工しない（ｒａｗ）ビットが先ずＲＳエンコーダ３１０、３３０によりエンコーディングされる。他の実施形態で、単一のＲＳエンコーダ４１０は全体の加工しないデータ情報を、図４のシステムで示したように二つの別途ストリームに分離せずに、全体の加工しないデータ情報をエンコーディングするために使われる。
【００２９】
一実施形態で、ＲＳコード（ｎ；２２４、ｋ；２２０、ｔ；２）は、受信されるデータストリームをＲＳエンコーディングするのに使われ、ここで、情報データ長ｋ＝２２０バイト、コーディングされたデータ長ｎ＝２２４バイト及びエラー訂正能ｔ＝２バイトである。以下の数式１ないし４は、ＲＳエンコーディングのための例示的な多項式を示す。一実施形態で、ＲＳコード（２２４，２２０，２）は原始多項式
ｐ（ｘ）＝１＋ｘ２＋ｘ３＋ｘ４＋ｘ８        （１）
で、ガロアフィールド（Ｇａｌｏｉｓ  ｆｉｅｌｄ）ＧＦ（２５６）でシンボルを持つＲＳコード（２５５，２５１，２）を短縮することによって獲得される。
【００３０】
コードワード生成器多項式は、
ｇ２（ｘ）＝ｘ４＋α７６ｘ３＋α２５１ｘ２＋α８１ｘ＋α１０        （２）
に選択される。
【００３１】
一実施形態で、短縮されたＲＳコードは、ＲＳコード（２５５，２５１，２）を持つＲＳエンコーダの入力で、長さ２２０の加工しないデータバイト以前に３１バイトのゼロ（ｚｅｒｏｓ）を付加することで具現される。ＲＳエンコーディング手順後に、３１ヌル（ｎｕｌｌ）バイトが廃棄される。一実施形態で、同じＲＳエンコーダがデータストリーム全て（すなわち、ＭＳＢ及びＬＳＢ）に対して使われる。
【００３２】
他の実施形態で、前記のＲＳコード（２２４，２２０，２）の代りに、ＲＳコード（ｎ；２２４、ｋ；２１８；ｔ；３）が使われ、ここで情報データ長ｋ＝２１８バイト、コーディングされたデータ長ｎ＝２２４バイト及びエラー訂正能ｔ＝３バイトである。他の実施形態で、ＲＳコード（ｎ；２２４、ｋ；２１６、ｔ；４）も使われうる。一実施形態で、ＲＳコード（２２４，２１８，３）は原始多項式
ｐ（ｘ）＝１＋ｘ２＋ｘ３＋ｘ４＋ｘ８        （３）
で、ガロアフィールドＧＦ（２５６）でシンボルを持つＲＳコード（２５５，２５１，３）を短縮することによって獲得される。
生成器多項式は、
ｇ３（ｘ）＝ｘ６＋α１６７ｘ５＋α１２２ｘ４＋α１３４ｘ３＋α３４ｘ２＋α１８１ｘ＋α２１        （４）
に選択される。
【００３３】
一実施形態で、短縮されたＲＳコードは、ＲＳコード（２５５，２４９，３）を持つＲＳエンコーダの入力で、長さ２１８の加工しないデータバイト以前に３１バイトのゼロを付加することで具現できる。ＲＳエンコーディング手順後に、３１ヌルバイトが廃棄される。また、同じＲＳエンコーダがＭＳＢ及びＬＳＢのあらゆるストリームに対して使われることもある。前述したＲＳコードは単純に例示であり、他のＲＳコードが使われることもある。
【００３４】
ＲＳエンコーダの出力に対して外部インターリービングが実行される（６２０）。図３に示したような一実施形態で、データストリーム（ＭＳＢ、ＬＳＢ）全てに対して同じ外部インターリーバが使われる。他の実施形態で、二つのブランチに対する外部インターリーバは相異なる。一実施形態で、図５に示したように、外部インターリーバ５１０（ＷｉＨＤビデオ送信器で）及び対応するデインターリーバ５２０（ＷｉＨＤビデオ受信器で）が使われる。また、他の実施形態で、相異なる構成を持つインターリーバ及び対応するデインターリーバが使われることもある。一実施形態で、コンボリューション外部インターリーバは、参照文献として含まれるＧ．Ｆｏｒｎｅｙ,“Ｂｕｒｓｔ  Ｃｏｒｒｅｃｔｉｎｇ  Ｃｏｄｅｓ  ｆｏｒ  Ｃｌａｓｓｉｃ  Ｂｕｒｓｔｙ  Ｃｈａｎｎｅｌ，”ＩＥＥＥ  Ｔｒａｎｓ  ｏｎ  Ｃｏｍｍｕｎｉｃａｔｉｏｎ  Ｔｅｃｈｎｏｌｏｇｙ，ｖｏｌ．１９，ｎｏ．５，Ｏｃｔ．１９７１で記述される。これらの実施形態で、インターリーバは、循環的に入力バイト・ストリームに連結されるＩ＝８ブランチで構成される。一実施形態で、それぞれのブランチは遅延ｊＤを持つＦＩＦＯ（ｆｉｒｓｔ−ｉｎ  ｆｉｒｓｔ−ｏｕｔ）シフトレジスターであり、ここでＤ＝２８は、遅延ユニット当たりの遅延で、ｊはブランチインデックスである。ＦＩＦＯのセルは１バイトを含む。パラメータＩ＝８、Ｄ＝２８は単に例示である。異なる状況によっては他のパラメータが使われうる。また、ここで、外部インターリーバは必ずしもコンボリューションインターリーバではなく、任意のインターリービングパターンを持つ任意のインターリーバでありうる。
【００３５】
外部インターリービングされるビットストリームは、複数の平行コンボリューションエンコーダにパージングされる（６３０）。一実施形態で、出力はＮ個のブランチにパージングされ、それぞれのブランチは別個のコンボリューションエンコーダによりエンコーディングされる。一実施形態で、Ｎ＝４（２Ｎ＝８）が図３のシステムに対して使われる。他の実施形態で、Ｎ＝８が図４のシステムに対して使われる。一実施形態で、パーザー５０８は、受信されたピクセルをビット・バイ・ビットまたはグループ・バイ・グループ方式でパージングする。グループサイズは、入力ビデオフォーマット及び／または特定のアプリケーションに依存する。一実施形態で、入力ビデオフォーマットはピクセルバイピクセルである。他の実施形態で、入力ビデオデータは一つのカラーに対するデータ、例えば、レッド、グリーン及びブルーをそれぞれ含む、例えば、３個のメモリから回復される。グループパーザーの動作に関する詳細な説明は、参考文献として含まれる本出願と同時に提出された“Ｓｙｓｔｅｍ  ａｎｄ  ｍｅｔｈｏｄ  ｆｏｒ  ｄｉｇｉｔａｌ  ｃｏｍｍｕｎｉｃａｔｉｏｎｓ  ｈａｖｉｎｇ  ｐａｒｓｉｎｇ  ｓｃｈｅｍｅ  ｗｉｔｈ  ｐａｒａｌｌｅｌ  ｃｏｎｖｏｌｕｔｉｏｎａｌ  ｅｎｃｏｄｅｒｓ”という名称の米国特許出願（Ａｔｔｏｒｎｅｙ  Ｄｏｃｋｅｔ  Ｎｕｍｂｅｒ：ＳＡＭＩＮＦ．０４０Ａ）で説明されている。
【００３６】
パージングされたビットストリームに対して並列エンコーディングが実行される（６４０）。典型的なビデオピクセルは３つのカラーＲ、Ｇ、Ｂを持ち、ピクセルのそれぞれのカラーは８ビットの情報を持ち、その結果、全体的にピクセル当たり２４ビットになる。一実施形態で、そのデータのそれぞれのビットは均等に保護される（ＥＥＰ）。他の実施形態で、そのデータのそれぞれのビットは差等で保護される（ＵＥＰ）。
【００３７】
一実施形態で、図３に示したように、加工しないデータ情報は、先ず二つのデータストリームに分離され、ビット７、６、５、４は、第１ストリームに進み（構成要素３１０ないし３２６を参照）、ビット３、２、１、０は、第２ストリームに進む（構成要素３３０ないし３４６を参照）。ピクセルのカラー当たり８ビットに対して、ビット７、６、５、４は普通ＭＳＢに分類され、ビット３、２、１、０は普通ＬＳＢに分類される。一実施形態で、カラーＲ、Ｇ、Ｂの間に優先順位差はない。
【００３８】
他の実施形態で、図４に示したように、加工しないデータ情報は直接８個のブランチに分離され、それぞれのビットは一つのブランチに進む。一実施形態で、カラーＲ、Ｇ、Ｂの間に優先順位差はない。ＵＥＰの場合に、最も重要なビット（ＭＳＢ）はより重要でないビット（ＬＳＢ）よりさらに強く保護される。これらの二つのデータストリームは、異なるコンボリューションコードまたはパンクチャリング（ｐｕｎｃｔｕｒｉｎｇ）パターンの選択を経て差等に保護される。これらの実施形態で、一つのコードは、第１ストリーム（ＭＳＢ）７、６、５、４のＮブランチにより採択され、残りのコードは、第２ストリーム（ＬＳＢ）３、２、１、０のＮブランチにより採択される。一実施形態で、二つの異なるコードは、同じマザー（ｍｏｔｈｅｒ）コードから異なるパンクチャリングパターンを通じて生成されうる。または、二つの異なるコードは異なるマザーコードから生成されうる。ＥＥＰの場合に、最も重要なビット（ＭＳＢ）はより重要でないビット（ＬＳＢ）ほど強く保護される。これらの二つのデータストリームは、同じコンボリューションコードまたはパンクチャリングパターンの選択を経て均等に保護される。他の実施形態で、さらに重要なビット（ＭＳＢを含むことができるが、必ずしもＭＳＢに限定されるものではない）はより重要でないビット（ＬＳＢを含むことができるが、必ずしもＬＳＢに限定されるものではない）より強く保護されうる。
【００３９】
それぞれのブランチに対するコンボリューションエンコーディング以後に、コーディングされたデータビットは共に多重化する（６５０）。一実施形態で、図３に示したように、２Ｎ（＝８）コンボリューションエンコーダの出力は、共に多重化されてインターリービング／マッピングユニット３２６、３４６に提供される。他の実施形態で、図４に示したように、Ｎ（＝８）コンボリューションエンコーダの出力は、共に多重化されてインターリービング／マッピングユニット４７０に提供される。詳細な多重化動作は、参考文献として含まれる本出願と同時に提出された“Ｓｙｓｔｅｍ  ａｎｄ  ｍｅｔｈｏｄ  ｆｏｒ  ｄｉｇｉｔａｌ  ｃｏｍｍｕｎｉｃａｔｉｏｎｓ  ｈａｖｉｎｇ  ｐｕｎｃｔｕｒｅ  ｃｙｃｌｅ  ｂａｓｅｄ  ｍｕｌｔｉｐｌｅｘｉｎｇ  ｓｃｈｅｍｅ  ｗｉｔｈ  ｕｎｅｑｕａｌ  ｅｒｒｏｒ  ｐｒｏｔｅｃｔｉｏｎ（ＵＥＰ）、”という名称の米国特許出願（Ａｔｔｏｒｎｅｙ  Ｄｏｃｋｅｔ  Ｎｕｍｂｅｒ：ＳＡＭＩＮＦ．０４１Ａ）に求めることができる。
【００４０】
前述した説明は、多様な実施形態に適用される本発明の新規の特徴を指摘したものである一方、当業者ならば、本発明の範囲を外れずに説明されたデバイスまたはプロセスの形態及び細部事項に多様な省略、置換及び変更を施すことができるということを理解できるであろう。例えば、本発明の実施形態は圧縮解除されたビデオデータを基準として説明されたとしても、かかる実施形態はまた、圧縮されたビデオに適用できる。また、コンボリューションエンコーダの代わりに、他の内部エンコーダ（例えば、線形ブロックエンコーダ）が使われることもある。したがって、本発明の範囲は前述した説明ではなく請求項によって定義される。請求項の均等の意味及び範囲内にあるあらゆる変更は請求項の範囲内に含まれる。
【産業上の利用可能性】
【００４１】
本発明の一実施形態は、非常に多い処理量でのデータ通信のための強力なエラー保護を提供し、ＷｉＨＤ受信器で平行ビタビデコーディング具現をさらに容易にする。例えば、デコーダは、デコーディング中に互いにデータを通信する必要がないため、受信器側で大きいデコーディング遅延がかなり減少する。またそれは、ビデオ送信のための均等エラー保護及び差等エラー保護能いずれも支援する。
【図面の簡単な説明】
【００４２】
【図１】本発明の一実施形態による無線デバイス間の圧縮解除されたＨＤビデオ送信を具現する無線ネットワークの機能ブロック図である。
【図２】本発明の一実施形態による無線媒体を通じた圧縮解除されたＨＤビデオの送信のための例示的な通信システムの機能ブロック図である。
【図３】本発明の一実施形態による例示的な無線ＨＤビデオ送信器システムを示す図である。
【図４】発明の他の実施形態による例示的な無線ＨＤビデオ送信器システムを示す図である。
【図５】本発明の一実施形態による送信器サイトでの外部インターリーバ及び受信器サイトでの外部デインターリーバを示す図である。
【図６】本発明の一実施形態による無線ＨＤビデオ送信手順を示す例示的なフローチャートである。
【図１】
2009543424.tif 000003
【図２】
2009543424.tif 000004
【図３】
2009543424.tif 000005
【図４】
2009543424.tif 000006
【図５】
2009543424.tif 000007
【図６】
2009543424.tif 000008
【国際調査報告】
2009543424.tif 000009
2009543424.tif 000010